(57)【要約】      （修正有）【課題】光ピックアップユニットの電気回路のグランドの強化を図れ、ノイズ特性と光ピックアップユニットの性能の向上を得ることができる光ディスク装置を提供する。【解決手段】光ピックアップユニット１を２本の支持シャフト２、３で移動自在に支持するようにした光ディスク装置において、支持シャフト２が伸縮自在なイラステックシャフトで構成され、このイラステックシャフトに光ピックアップユニット１の突起部４が固定されており、イラステックシャフトの両端部がビス６でローダー７に固定され、ビス６には下向きに板ばね８が取り付けられ、この板ばね８の先端がボトムシャーシ９に接触されていて、光ピックアップユニット１の電気回路が突起部４からイラステックシャフトと板ばね８を介してボトムシャーシ９に向けてグランドに落とされるように構成した。【選択図】図１
2007102946.tif 000002
【特許請求の範囲】
【請求項１】
光ピックアップユニットを２本の支持シャフトで移動自在に支持するようにした光ディスク装置において、前記支持シャフトの１本が伸縮自在なイラステックシャフトで構成され、このイラステックシャフトに前記光ピックアップユニットの突起部が固定されており、前記イラスティクシャフトの両端部がビスでローダーに固定され、前記両側のビスには下向きに板ばねが取り付けられ、この板ばねの先端がボトムシャーシに接触されていて、前記光ピックアップユニットの電気回路が前記突起部から前記イラステックシャフトと前記板ばねを介して前記ボトムシャーシに向けてグランドに落とされるように構成していることを特徴とする光ディスク装置。
【請求項２】
光ピックアップユニットを支持シャフトで移動自在に支持するようにした光ディスク装置において、前記支持シャフトが伸縮自在なイラステックシャフトで構成され、このイラステックシャフトに前記光ピックアップユニットの突起部が固定されており、前記イラステックシャフトの両端部がビスでローダーに固定され、少なくとも１本のビスには下向きに板ばねが取り付けられ、この板ばねの先端がボトムシャーシに接触されていて、前記光ピックアップユニットの電気回路が前記突起部から前記イラステックシャフトと前記板ばねを介してボトムシャーシに向けてグランドに落とされるように構成していることを特徴とする光ディスク装置。
【請求項３】
前記支持シャフトは、光ピックアップユニットの両側に２本配置され、これら２本の支持シャフトが伸縮自在なイラステックシャフトで構成されている請求項２に記載の光ディスク装置。
【発明の詳細な説明】
【技術分野】
【０００１】
本発明は、光ピックアップユニットを支持シャフトで移動自在に支持するようにした光ディスク装置に関するものである。
【背景技術】
【０００２】
第１の従来技術を図３、図４に示す。この従来の光ディスク装置は、図３、図４に示すように、光ディスク１１８をターンテーブル１０９に乗せて回転駆動するスピンドルモーター１０８をスピンドルベース１２４に設置する。スピンドルベース１２４は、伸縮可能なガイドレール１２５、１２６に沿って光ディスクのローディング・インジェクト方向に移動可能である。フィードモーター（図示略）の回転により金属ベルト１３３の巻き取り・繰り出しが行われ、金属ベルト１３３の先端を連結したスピンドルベース１２４がガイドレール１２５、１２６に沿って駆動される。
【０００３】
光ピックアップ１０６はシャーシ１１１側に固定して設ける。固定の光ピックアップ１０６による光ディスク１１８の記録領域へのアクセス動作は、フィードモーターによりスピンドルベース１２４およびスピンドルモーター１０８を移動させて行う。光ディスク１１８のイジェクト時には、スピンドルベース１２４がガイドレール本体１２５ｂ、１２６ｂの前端部に達した後も、そこから伸長する伸縮レール１２５ａ、１２６ａ上を移動し、光ディスク１１８が装置外部にイジェクトされる。（例えば、特許文献１参照）。
【０００４】
ところが、これにおいては、光ピックアップ１０６はシャーシ１１１側に固定して設けられており、この光ピックアップ１０６は移動しないものであった。また、光ピックアップ１０６の電気回路のグランドについては何ら考慮されていないものであった。
【０００５】
第２の従来技術を図５に示す。この従来の光学装置は、図５に示すように、光ディスク２０４に対し光学的に情報を処理する光ピックアップ本体２０１と、この光ピックアップ本体２０１をすべり軸受け２０２を介してスライド自在に支持する支持シャフト２０３と、光ピックアップ本体２０１に一端部が接続された板バネ２０５の他端部に設けられ、板バネ２０５の付勢力により支持シャフト２０３に圧接して光ピックアップ２０１に対して反重力方向の力を付与するベアリング２０７を有しているものである。（例えば、特許文献２参照）。
【０００６】
ところが、これにおいては、光ピックアップ本体１０１の電気回路のグランドについては、何ら考慮されていなかった。
【特許文献１】特開平１１−１２６３４１号公報
【特許文献２】特開平５−６５５７号公報
【発明の開示】
【発明が解決しようとする課題】
【０００７】
本発明は、上記従来の実情に鑑みてなされたものであって、光ピックアップユニットの電気回路のグランドの強化を図ることができ、ノイズ特性と光ピックアップユニットの性能の向上を得ることができる光ディスク装置を提供することを目的としている。
【課題を解決するための手段】
【０００８】
本発明は、上記課題を解決するために提案されたものであって、請求項１に記載の発明は、光ピックアップユニットを２本の支持シャフトで移動自在に支持するようにした光ディスク装置において、前記支持シャフトの１本が伸縮自在なイラステックシャフトで構成され、このイラステックシャフトに前記光ピックアップユニットの突起部が固定されており、前記イラスティクシャフトの両端部がビスでローダーに固定され、前記両側のビスには下向きに板ばねが取り付けられ、この板ばねの先端がボトムシャーシに接触されていて、前記光ピックアップユニットの電気回路が前記突起部から前記イラステックシャフトと前記板ばねを介して前記ボトムシャーシに向けてグランドに落とされるように構成していることを特徴としている。
【０００９】
請求項２に記載の発明は、光ピックアップユニットを支持シャフトで移動自在に支持するようにした光ディスク装置において、前記支持シャフトが伸縮自在なイラステックシャフトで構成され、このイラステックシャフトに前記光ピックアップユニットの突起部が固定されており、前記イラステックシャフトの両端部がビスでローダーに固定され、少なくとも１本のビスには下向きに板ばねが取り付けられ、この板ばねの先端がボトムシャーシに接触されていて、前記光ピックアップユニットの電気回路が前記突起部から前記イラステックシャフトと前記板ばねを介してボトムシャーシに向けてグランドに落とされるように構成していることを特徴としている。
【００１０】
請求項３に記載の発明は、請求項２に記載の発明において、前記支持シャフトは、光ピックアップユニットの両側に２本配置され、これら２本の支持シャフトが伸縮自在なイラステックシャフトで構成されている。
【発明の効果】
【００１１】
請求項１に記載の発明によれば、イラステックシャフトからなる支持シャフトに光ピックアップユニットの突起部が固定されているから、光ピックアップユニットとイラステックシャフトからなる支持シャフトの電気的な抵抗を少なくして接続することができる。また、このイラステックシャフトからなる支持シャフトの両端がビスでローダーに固定されてこのビスに板ばねが取り付けられ、この板ばねの下端がボトムシャーシに接触されているから、光ピックアップユニットの電気回路のグランドの強化を図かることができる。ノイズはボトムシャーシに向けて流れるから、ノイズ特性の向上を得ることができる。しかも、光ピックアップユニットの性能の向上を得ることができる。
【００１２】
請求項２に記載の発明によれば、イラステックシャフトからなる支持シャフトに光ピックアップユニットの突起部が固定されているから、光ピックアップユニットとイラステックシャフトからなる支持シャフトの電気的な抵抗を少なくして接続することができる。また、このイラステックシャフトからなる支持シャフトの両端がビスでローダーに固定されて少なくとも１本のビスに板ばねが取り付けられ、この板ばねの下端がボトムシャーシに接触されているから、光ピックアップユニットの電気回路のグランドの強化を図かることができる。ノイズはボトムシャーシに向けて流れるから、ノイズ特性の向上を得ることができる。しかも、光ピックアップユニットの性能の向上を得ることができる。
【００１３】
請求項３に記載の発明によれば、光ピックアップユニットの両側の２本の支持シャフトが伸縮自在なイラステックシャフトで構成されているから、両側の支持シャフトで光ピックアップユニットを均一に支持でき、光ピックアップユニットの移動をスムーズにすることができる。
【発明を実施するための最良の形態】
【００１４】
以下、本発明に係る光ディスク装置の実施の形態について、図を参照しつつ説明する。
【００１５】
図１は本発明の光ディスク装置の第１実施形態を示し、（ａ）はその主要部の概略平面図、（ｂ）はその部分正面図である。
【００１６】
この第１実施形態の光ディスク装置は、図１（ａ）に示すように、光ピックアップユニット１が左右２本の支持シャフト２、３に移動可能に支持されている。左側の支持シャフト２は伸縮自在なイラステックシャフトで構成され、この支持シャフト２の長手方向中央部に光ピックアップユニット１の突起部４が固定されている。右側の支持シャフト３には光ピックアップユニット１の２つの突起部５、５が移動可能に支持されている。図１（ｂ）に示すように、左側のイラステックシャフトからなる支持シャフト２の両端がビス６、６でローダー７に固定されており、このビス６、６にはそれぞれ板ばね８、８が取り付けられ、これらの板ばね８、８の下端がボトムシャーシ９に接触されている。光ピックアップユニット１は図１（ａ）において、前後方向へ移動可能となっている。尚、図中符号１０はターンテーブルであって、ローダー７の先端近傍箇所に設置されている。このローダー７はターンテーブル１０を設置している側が上下に移動するように構成されている。また、図中符号１１はピックアップレンズであって、光ピックアップユニット１の左右方向略中央部に設けられている。
【００１７】
この第１実施形態によれば、イラステックシャフトからなる支持シャフト２に光ピックアップユニット１の突起部４が固定されているから、光ピックアップユニット１とイラステックシャフトからなる支持シャフト２の電気的な抵抗を少なくして接続することができる。また、このイラステックシャフトからなる支持シャフト２の両端がビス６、６でローダー７に固定されてこれらのビス６、６に板ばね８、８が取り付けられ、板ばね８、８の下端がボトムシャーシ９に接触されているから、光ピックアップユニット１の電気回路のグランドの強化を図かることができる。ノイズはボトムシャーシ９に向けて流れるから、ノイズ特性の向上を得ることができる。しかも、光ピックアップユニット１の性能の向上を得ることができる。
【００１８】
図２は第２実施形態の光ディスク装置の主要部の概略平面図である。尚、上記した第１実施形態と同一部材、同一箇所には同一符号を付してその説明を省略する。
【００１９】
この第２実施形態のディスク装置は、図２に示すように、左右２本の支持シャフト２、３が伸縮自在なイラステックシャフトで構成されている。従って、光ピックアップユニット１を左右の支持シャフト２、３で均一に支持することができ、光ピックアップユニット１の前後方向への移動をスムーズに行うことができる。
【図面の簡単な説明】
【００２０】
【図１】本発明の光ディスク装置の第１実施形態を示し、（ａ）はその主要部の概略平面図、（ｂ）はその部分正面図である。
【図２】第２実施形態の光ディスク装置の主要部の概略平面図である。
【図３】従来の光ディスク装置の内部機構の概略平面図である。
【図４】同装置におけるガイドレール内に収納されている伸縮レールの部分斜視図である。
【図５】従来の光ピックアップ装置を示す斜視図である。
【符号の説明】
【００２１】
１        光ピックアップユニット
２        支持シャフト
３        支持シャフト
４        突起部
５        突起部
６        ビス
７        ローダー
８        板ばね
９        ボトムシャーシ
１０      ターンテーブル
１１      ピックアップレンズ
【図１】
2007102946.tif 000003
【図２】
2007102946.tif 000004
【図３】
2007102946.tif 000005
【図４】
2007102946.tif 000006
【図５】
2007102946.tif 000007